(57)【特許請求の範囲】
【請求項１】
他部に掛止される基部と該基部に枢着された左右の支持杆を備え、該支持杆が水平位置に仮固定可能であるハンガーであって、基部に弾発性を有する二股状の解除駒が下方に開放するように配設されており、解除駒は、左右の翼片とその中間部から下方に伸びる支え片を有し、該支え片が基部に枢着されており、該解除駒の先端部を支持杆の基端部に掛合させることにより該支持杆を水平位置に仮固定することを特徴とする折畳み式ハンガー。
【請求項２】
解除駒は、基部内の空間に配設され、その左右の翼片の一部が基部外に露出していることを特徴とする請求項１記載の折畳み式ハンガー。
【請求項３】
左右の翼片は、先端に掛止部を有し、該掛止部に隣接して案内部を有し、支持杆の基端部に形成された突起部が該案内部に案内されて掛止部に係止されるものであることを特徴とする請求項１記載の折畳み式ハンガー。
【請求項４】
基部の上部がフック状に形成されていることを特徴とする請求項１記載の折畳み式ハンガー。
【請求項５】
基部の上部はＵ字状に形成されその両先端が折畳み式多連ハンガーの支持杆に形成された穴部に掛合可能であることを特徴とする請求項１記載の折畳み式ハンガー。
【発明の詳細な説明】
【技術分野】
【０００１】
本発明は、折畳み式ハンガーに関し、更に詳しくは、衣料等を吊り下げた状態から簡単に取り外すことができる折畳み式ハンガーに関する。
【背景技術】
【０００２】
従来、衣服等を吊り下げて干したり、或いは収納したりするために、いわゆるハンガーが使用されているが、その構造としては種々のものが開発されている。
特に、使用時に広がり、不使用時に小さく折り畳まれるものは、衣服等の着脱が簡単であるため極めて便利であり好んで使用されている。
例えば、特許文献１に記載のものは、ハンガーの左右の伸縮腕（いわゆるショルダー支持部）を伸長、或いは収縮させて大きさを調整するものである。
しかし、これは伸縮腕を長孔に沿って移動させる構造のため左右から伸縮腕を互いに内側に押して縮小させなければならない。
そのため、どうしても両腕を使った操作が必要である。
【０００３】
また、縮小するとしてもその距離に限度があることから、例えばＴシャツを吊した状態では、乾燥した後、ハンガーから取り外す際、伸縮腕を縮小した状態でも首部から抜けない。
このようなことから、ショルダー支持部を伸縮させるのではなく、垂下させて折り畳むものも開発されている。
【０００４】
特許文献２に記載のものは、アームがＵ字状の係合部の突部に掛かり開いた状態となるもので、係合部の両端部を互いに接近させることにより、突部がアームから外れてアーム自体が垂下して折り畳まれるものである。
しかし、下方から係合部の両端部を掴まなければならないため、例えば、Ｔシャツの中に手を入れて操作を行う必要がある。
係合部の両端部が見えないため、操作がブラインドになり掴みにくい。
更に係合部の両端部が下方に大きく突出しているため、洗濯物を干す場合、引っ掛かる欠点がある。
このように、衣服等の着脱性の観点から必ずしも十分とは言えなかった。
【先行技術文献】
【特許文献】
【０００５】
【特許文献１】実開昭６３−２２８９２号公報
【特許文献２】特許第３６４４０１８号公報
【発明の概要】
【発明が解決しようとする課題】
【０００６】
本発明は、上から折り畳み操作が簡単に行えしかも衣服等に引っ掛かりにくく着脱性の優れた折畳み式ハンガーを提供することを目的とする。
【課題を解決するための手段】
【０００７】
本発明者らは上記従来技術を元に鋭意研究した結果、解除駒を上方に配置することにより、摘み操作が容易になることを見出し、この知見を元に本発明を創作したものである。
【０００９】
すなわち、本発明は、（１）、他部に掛止される基部１と該基部１に枢着された左右の支持杆３１，３２を備え、該支持杆３１，３２が水平位置に仮固定可能であるハンガーであって、基部１に弾発性を有する二股状の解除駒２が下方に開放するように配設されており、解除駒２は、左右の翼片２１，２２とその中間部から下方に伸びる支え片２３を有し、該支え片２３が基部１に枢着されており、該解除駒２の先端部を支持杆３１，３２の基端部に掛合させることにより該支持杆３１，３２を水平位置に仮固定する折畳み式ハンガーに存する。
【００１０】
また、本発明は、（２）、解除駒２は、基部１内の空間に配設され、その左右の翼片２１，２２の一部が基部１外に露出している上記（１）記載の折畳み式ハンガーに存する。
【００１１】
また、本発明は、（３）、左右の翼片２１，２２は、先端に掛止部２１Ａ，２２Ａを有し、該掛止部２１Ａ，２２Ａに隣接して案内部２１Ｂ，２２Ｂを有し、支持杆３１３２の基端部に形成された突起部３１Ａ，３２Ａが該案内部２１Ｂ，２２Ｂに案内されて掛止部２１Ａ，２２Ａに係止されるものである上記（１）記載の折畳み式ハンガーに存する。
【００１２】
また、本発明は、（４）、基部１の上部がフック状に形成されている上記（１）記載の折畳み式ハンガーに存する。
【００１３】
また、本発明は、（５）、基部１の上部はＵ字状に形成されその両先端が折畳み式多連ハンガーの支持杆に形成された穴部に掛合可能である上記（１）記載の折畳み式ハンガーに存する。
【００１４】
なお、本発明の目的に添ったものであれば、上記（１）〜（５）を適宜組み合わせた構成も採用可能である。
【発明の効果】
【００１５】
１）本発明の折畳み式ハンガーは、他部に掛止される基部１と該基部１に枢着された左右の支持杆３１，３２を備え、基部１に弾発性を有する二股状の解除駒２が下方に開放するように配設されており、該解除駒２の先端部を支持杆３１，３２の基端部に掛合させることにより該支持杆３１，３２を水平位置に仮固定するものなので、例えば、干して乾燥したＴシャツ等をハンガーから取り外す際、衣服の中に下方から手を入れて解除する操作は、全く不要である。
衣服の上方に露出している解除駒２を目視しながら摘み操作ができる。
【００１６】
２）また、解除駒２は、左右の翼片２１，２２とその中間部から下方に伸びる支え片２３を有し、該支え片２３が基部１に枢着されているので、両翼片２１，２２を摘んでも解除駒全体が左右方向に揺動するのを防止することができる。
【００１７】
３）解除駒２は、基部１内の空間に配設され、その左右の翼片２１，２２の一部が基部１外に露出しているので、解除駒２の露出部分も少なく、従来のように、両端が長く突出しているものではないので、衣服等に引っ掛かるようなことがない。
【００１８】
４）左右の翼片２１，２２は、先端に掛止部を有し、該掛止部に隣接して案内部２１Ｂ，２２Ｂを有し、支持杆３１，３２の基端部に形成された突起部３１Ａ，３２Ａが該案内部２１Ｂ，２２Ｂに案内されて解除駒２の掛止部２１Ａ，２２Ａに係合されるものであるので、係止されるまで支持杆３１，３２の案内が的確に且つ滑らかに行える。
【００１９】
５）基部１の上部をフック状に形成したり、Ｕ字状に形成して両先端が折畳み式多連ハンガーに掛合可能であるようにしたことで、単独でも、或いは組み込みでも使用可能である。
【図面の簡単な説明】
【００２０】
【図１】図１は、本発明に係る折畳み式ハンガーの斜視図である。
【図２】図２は、本発明に係る折畳み式ハンガーを開いた状態の側面図である。
【図３】図３は、本発明に係る折畳み式ハンガーを折畳んだ状態を示し、（Ａ）は正面図、また（Ｂ）は側面図である。
【図４】図４は、本発明に係る折畳み式ハンガーを開いた状態の要部の拡大断面図である。
【図５】図５は、本発明に係る折畳み式ハンガーを折り畳んだ状態の拡大断面図である。
【図６】図６は、本発明に係る折畳み式ハンガーを使ってＴシャツ等を着脱する操作を示すブロック図を示す。
【図７】図７は、本発明に係る折畳み式ハンガーにおける基部の変形例を示す図である。
【図８】図８は、本発明に係る折畳み式ハンガーを備えた折畳み式多連ハンガー具の開いた状態を示す斜視図である。
【図９】図９は、本発明に係る折畳み式ハンガーを備えた折畳み式多連ハンガー具の折り畳んだ状態を示す正面図である。
【発明を実施するための形態】
【００２１】
本発明による折畳み式ハンガーＡは、支持杆３１，３２より上方に位置する解除駒２を解除することで、左右の支持杆３１，３２を簡単に折り畳むことができるものである。
Ｔシャツ等の衣服を吊り下げた状態で衣服の中に手を入れずに操作を行えて極めて便利である。
【００２２】
以下、便宜的に折畳み式ハンガーＡに対する吊り下げ対象として、衣服であるＴシャツを例に以下に述べる。
【００２３】
ここで図１は、本発明に係る折畳み式ハンガーの斜視図、図２は、折畳み式ハンガーの開いた状態の側面図、図３は、折畳み式ハンガーの折り畳んだ状態の正面図及び側面図である。
また図４は、折畳み式ハンガーの開いた状態の要部の拡大断面図、図５は、折畳み式ハンガーの折り畳んだ状態の要部の拡大断面図である。
【００２４】
折畳み式ハンガーは他部に掛止される部分である基部１と該基部１に枢着された左右の支持杆３１，３２を備えており、該支持杆３１，３２は不使用状態である垂下して折り畳まれた状態から水平位置（すなわち開いた状態）に仮固定することが可能である。
このような状態で、例えば、Ｔシャツを吊して干すことができる。
【００２５】
支持杆３１，３２は、長尺状で先端近くに複数の抜き孔Ｓが設けられている。
支持杆３１，３２は、基部１に一部が枢着されており、その枢着部の内側の基端部には突起部３１Ａ，３２Ａが形成されている。
基部１は、他の部位に折畳み式ハンガーＡを取り付ける部分であり、他物体に対する吊り下げ、回動、固定等のためにあり、それに応じた形状とすることが可能である。
【００２６】
図では、吊り下げられるように上部がフック状であるが、このフック状の部分はフック部１１として別体になった場合を示す。
また基部１には二股状の解除駒２が下方に開放（すなわち開口）されるように取り付けられている。
この解除駒２は、二股状を形成するための左右の翼片２１，２２を備え、この左右の翼片２１，２２の中間部から下方に支え片２３が伸びている。
この左右の翼片２１，２２は、ＰＰ等の合成樹脂でできており、互いに広がる方向に弾発性を有する。
従って、左右の翼片２１，２２を互いに接近させる方向に抵抗が働く。
【００２７】
解除駒２は、この支え片の下端よりの一部を介して基部１に枢着されている。
左右の翼片２１，２２の端部には、掛止部２１Ａ，２２Ａが形成され、該掛止部２１Ａ，２２Ａに隣接して内方にカーブ（アールＲ）した案内部２１Ｂ，２２Ｂが形成されている。
この案内部２１Ｂ，２２ＢのアールＲは、支持杆３１，３２の枢着部から突起部３１Ａ，３２Ａの先端の距離より短いので、後述するように、支持杆３１，３２を開くように上方に回動させた場合に適度なクリック感（抵抗感）が得られる。
【００２８】
また解除駒２の翼片２１，２２の上部には、カーブ状に凹んで形成された指当て部２１Ｃ，２２Ｃが設けられている。
この指当て部２１Ｃ，２２Ｃに、例えば、親指と人差し指を当てがって強く内方に押すことにより、解除駒は解除される。
その際、指当て部２１Ｃ，２２Ｃには、凹凸部Ｐが設けられているため、摘んでも指が滑りにくい。
【００２９】
また基部１は解除駒２の前後を覆うようになっているが、解除駒２の一部は基部１より露出している。
より詳しくは、解除駒２の左右の翼片２１，２２の一部が、それぞれ基部１より露出しており、露出部分が少ない。
翼片２１，２２は外方に大きく突出するものではないので、Ｔシャツ等に引っ掛かることは全くない。
因みに、従来は前述したように、大きく飛び出した突出部が衣服等に引掛かる問題があった。
【００３０】
（折り畳み操作）
参考までに、折畳み式ハンガーＡを使ってＴシャツ等を着脱する操作を示すブロック図を図６に示す。
左右の支持杆３１，３２は、少なくとも、水平位置（すなわち開いた状態）と垂下位置（すなわち折り畳んだ状態）に切り替えることができる。
先述したように解除駒２は支え片３２の一部で基部１に枢着されており、露出している両側の翼片２１，２２を摘んで互いに近接させることができる。
いま、左右の支持杆３１，３２が、垂下位置（すなわち折畳んだ状態）にあるとする。
この状態は、通常、不使用の状態である。
【００３１】
次に、例えば衣服であるＴシャツを干したい場合、基部１を手で支えておき、支持杆３１と支持杆３２とを上方に跳ね上げる。
すると支持杆３１，３２の突起部３１Ａ，３２Ａが案内部２１Ｂ，２２Ｂに沿って案内され解除駒２の掛止部２１Ａ，２２Ａに嵌り込む。
この場合、この案内部２１Ｂ，２２ＢのアールＲは、支持杆３１，３２の枢着部から突起部３１Ａ，３２Ａの先端の距離より短いので、支持杆３１，３２の突起部３１Ａ，３２Ａが案内部２１Ｂ，２２Ｂに沿って案内され解除駒２の掛止部２１Ａ，２２Ａに係合する際にクリック感（抵抗感）が得られる。
【００３２】
また解除駒２が外方に弾発性を有するので、この突起部３１Ａ，３２Ａが掛止部２１Ａ，２２Ａに嵌り込んだ状態からは容易に外れることはない。
両方の支持杆３１，３２が開いた状態で、今度は、Ｔシャツを吊して干す。
そしてＴシャツが乾燥した後、それを折畳み式ハンガーから取り外すが、その際、解除駒２がＴシャツの上方に位置するので、操作としては、指当て部２１Ｃ，２２Ｃに、例えば、親指と人差し指を当てがって強く摘み、翼片２１，２２を内方に押せばよい。
指当て部２１Ｃ，２２Ｃには滑り防止用の凹凸部Ｐが形成されているため、水に濡れても指が滑ることがなく的確に指の力が伝達される。
解除駒２が上方にあるためＴシャツを干した状態でも目視しながら操作が行え、従来例のように、操作するに際し、Ｔシャツの中に手を入れる必要はない。
【００３３】
このようにして支持杆３１，３２の突起部３１Ａ，３２Ａが解除駒２の掛止部２１Ａ，２２Ａから外れると、支持杆３１，３２はフリーとなるので、先端部の自重により、自然に先が下がって垂下した状態となる。
この状態、すなわち折畳み状態であれば、Ｔシャツは、掛止部２１Ａ，２２Ａが支障とならず首から簡単に抜けて折畳み式ハンガーから取り外しできる。
上述した操作手順において、Ｔシャツを吊す場合は、折畳み式ハンガーをＴシャツの下方から中に入れても、或いは首部から、支持杆３１，３２のみ入れてもいずれでも良い。
【００３４】
（別の実施の形態）
この実施の形態は、基部１の上部の形状の変形例を示すものである。
具体的には、図７に示すように基部１の上部がＵ字状に形成されており、この先の曲げ部１１Ａが垂連式ハンガー具の支持枠１００の取付け孔Ｈに嵌って吊り下げられているものである。
【００３５】
図８は、折畳み式ハンガーＡを備えた折畳み式多連ハンガー具Ｂの斜視図、図９は、折畳み式ハンガーＡを備えた折畳み式多連ハンガー具Ｂの折り畳んだ状態を示す正面図である。
この折畳み式多連ハンガー具Ｂの支持枠１００に折畳み式ハンガーＡが複数個（ここでは８個）吊り下げられているもので、支持枠１００も二つに折り畳むことができる。
上下に上フック部１１０と下フック部１２０の二つのフック部を備え軸方向に回動自在である。
下方のフック部１２０を上にして吊り下げて図９に示すように、簡単に折り畳むことができる。
【００３６】
以上、本発明を実施の形態をもとに説明したが、本発明は、この実施の形態に限ることなく、種々の変更が可能である。
例えば、基部が、物干し棹を挟むような構造になっていたり、フックにも安全止めが組み込まれていてもよい。
更に、支持杆に抜き孔が形成されていることで滑り止めとなるが、滑り止め用のテープや布、或いは、摩擦付与のための鋲や凸凹を設ける等の手段を講じることも当然可能である。
また、支持杆の水平位置とは略水平位置も含むことは当然である。
更に、基部、支持杆、及び解除駒は、合成樹脂材で作られているのが好ましいが、それぞれの役割を果たす限り、金属や木材も採用可能である。
【産業上の利用可能性】
【００３７】
本発明による折畳み式ハンガーは、上側にある解除駒２を摘むだけで簡単にコンパクトに折り畳むことが可能である。
折り畳みできる。
上に解除駒２があるので、操作が簡単で吊り下げた衣服等を汚さない。
単独で使用するだけでなく、種々の折畳み式ハンガー具に利用可能である。
【符号の説明】
【００３８】
１・・・基部
１１・・・フック部
１１Ａ・・・曲げ部
２・・・解除駒
２１・・・翼片
２１Ａ・・・掛止部
２１Ｂ・・・案内部
２１Ｃ・・・指当て部
２２・・・翼片
２２Ａ・・・掛止部
２２Ｂ・・・案内部
２２Ｃ・・・指当て部
２３・・・支え片
３１・・・支持杆（左）
３１Ａ・・・突起部
３２・・・支持杆（右）
３２Ａ・・・突起部
Ａ・・・折畳み式ハンガー
Ｂ・・・折畳み式多連ハンガー具
Ｈ・・・取付け孔
Ｐ・・・凹凸部
Ｓ・・・抜き孔
【要約】      （修正有）【課題】上から折り畳み操作が簡単に行えしかも衣服等に引っ掛かりにくく着脱性の優れた折畳み式ハンガーを提供する。【解決手段】他部に掛止される基部１と該基部１に枢着された左右の支持杆３１，３２を備え、該支持杆３１，３２が水平位置に仮固定可能であるハンガーであって、基部１に弾発性を有する二股状の解除駒が下方に開放するように配設されており、該解除駒の先端部２１Ａ，２２Ａを支持杆３１，３２の基端部３１Ａ，３２Ａに掛合させることにより該支持杆３１，３２を水平位置に仮固定する折畳み式ハンガー。【選択図】図４【図１】
0005248688.tif 000002
【図２】
0005248688.tif 000003
【図３】
0005248688.tif 000004
【図４】
0005248688.tif 000005
【図５】
0005248688.tif 000006
【図６】
0005248688.tif 000007
【図７】
0005248688.tif 000008
【図８】
0005248688.tif 000009
【図９】
0005248688.tif 000010